(57)【要約】      （修正有）【課題】展示品のディスプレイにも、小物類の収容にも適用が可能なスタンドホルダを提供する。製作コストのさらなる削減を図る。組立を容易とする。搬送と保管にも利便性を持たせる。収納品を全方向から見られるようにする。【解決手段】底板１ａの一端に折り線２を挟んで保持板１ｂを連設する。保持板１ｂの中央に収納品差し込み孔４を開設する。底板１ａの他端側にスリットを刻設する。保持板１ｂの先端に係合片を突設する。底板１ａを平置きし、折り線２を谷折りして保持板１ｂを上方へ回動させ、該保持板１ｂを底板１ａの上方へ湾曲させて、係止片をスリットへ差し込むことにより、スタンドホルダ１を立体的に組み立てる。【選択図】図１
0003136375.tif 000002
【実用新案登録請求の範囲】
【請求項１】
平置きされる底板と、
該底板の他端に刻設されるスリットと、
前記底板の一端に連続して、該底板の上方を他端側へ向けて円弧状に覆う保持板と、
該保持板の先端に突出し、かつ前記スリットへの差し込みにより前記保持板の円弧形状を保持する係合片と、
前記保持板の頂部に開口する収納品差し込み孔とを備えている
ことを特徴とするスタンドホルダ。
【請求項２】
前記底板に上方へ突出する収納品受け部を設けた
ことを特徴とする請求項１に記載のスタンドホルダ。
【請求項３】
前記収納品受け部に収納品受け孔を開設した
ことを特徴とする請求項２に記載のスタンドホルダ。
【請求項４】
前記スタンドホルダは、一枚の連続したシート状体によって形成されている
ことを特徴とする請求項１〜３のいずれかに記載のスタンドホルダ。
【考案の詳細な説明】
【技術分野】
【０００１】
本発明は、例えば携帯電話等の展示品を立て掛けてディスプレイしたり、メモ用紙や付箋紙等の小物類を立て掛けて収容するのに好適なスタンドホルダに関する。
【背景技術】
【０００２】
店頭やショールーム等のショーウインドやショーケース、ディスプレイカウンタに展示品をディスプレイする場合に、展示品形状に合わせた多種多様なディスプレイ製品が提案されている。
その一例として、底板と、粘着材を塗布した粘着マットを固定した前板と、後ろ板及び接着板を折り目によって連結した板、若しくは各板の端部に溝と溝に嵌合するカム軸とを形成して、相互に任意の角度に折り曲げ可能に構成し、必要により底板、前板、後ろ板の組立時に外表面側となる側を広告・ディスプレイ用表示面とし、組立前は接着板に塗布した接着剤に保護紙を貼付した状態で折畳み、若しくは重ねることによりコンパクトに包装可能とし、使用時には、各板を三角形として折り曲げた状態で接着板の両面接着剤などにより固定して三角形状に組立て可能としたディスプレイスタンドや（例えば、特許文献１）、あるいは、後面板と、その後面板の表側の下半部に一体的に設けて携帯電話を収納可能としたポケットと、前記後面板の下端部と連続するように一体的に設けたフリーな前面板とを具え、その前面板を上方へ伸展することにより、前記ポケットの表側と上方を覆ってその上端部を前記後面板の上端部に着脱可能になすとともに、ポケットの下側から後方へ折り返し、且つ上方へ折り曲げてその先端部を前記後面板の裏側に止着可能となすことにより起立姿勢とした後面板とポケットを当該前面板により支持可能とした携帯電話ホルダー兼用のディスプレイが提案されている（例えば、特許文献２）。
【０００３】
また、メニューや写真等のカード類をテーブル状で体裁よく立て置きできるようにしたスタンドホルダとして、断面三角形状の紙製スタンド部と、カード類が保持可能な紙製のカードホルダー部とを備え、スタンド部の前面側傾斜面とカードホルダー部の台紙とを互いの下端部にて接着させ、該接着部上方におけるスタンド部とカードホルダー部との間に別のカードの一部を挟んで保持できるようにした技術が提案されている（例えば、特許文献３）。
断面三角形状に折曲形成され、底面と前面側傾斜面と背面側傾斜面とからなる紙製のスタンド部と、背面側の台紙と前面側の窓枠とからなり、これらの間にカードを保持可能な紙製のカードホルダー部とを備え、前記スタンド部の前面側傾斜面と前記カードホルダー部の台紙とを互いの下端部にて接着し、該接着部上方における前記スタンド部と前記カードホルダー部との間に別のカードの一部を挟んで保持できるようにした技術が提案されている（例えば、特許文献３）。
【０００４】
【特許文献１】実用新案登録第３０７２３８１号公報
【特許文献２】実用新案登録第３０８２６６３号公報
【特許文献３】実用新案登録第３０８４１７９号公報
【考案の開示】
【考案が解決しようとする課題】
【０００５】
上記の特許文献１〜３は構成が比較的単純であるものの、特許文献１では、展示品貼付用の粘着マットと、接着剤を塗布した接着板かもしくはカム軸とカム溝との組み合わせのどちらかが必要であり、特許文献２では、後面板や前面板等に連続した板材を用いるが、板材の両端に雌雄の面ファスナを付設するほか、これらとは別のポケットも必要とするため、いずれも製作工数とコスト面とでより改善が望まれていた。
また、特許文献３は、断面三角形状のスタンド部を、前面側傾斜板と背面側傾斜板，底板，補強片及び接着片とで構成し、またカードホルダ部を台紙と窓枠との組み合わせで構成するもので、紙製とはいえ、必ずしも製作が容易で低コストであるとはいえないものであった。
さらに、特許文献１〜３のいずれも、ディスプレイ専用品かカード類収容のみの専用品であって、展示品のディスプレイとカード類の収容のいずれにも適用できるものではなく、しかも傾斜した前板や後面板の前側に展示品を乗せたり、あるいは同じく傾斜したカードホルダ部の台紙と窓枠との間の挿入部にカード類を差し込む構成であるため、看者がこれらのディスプレイやスタンドホルダの後側に回り込んだ場合には展示品やカード類がこれらの後ろに隠れてしまい、展示品やカード類を直接見たり使用することはできなかった。
【０００６】
本考案は、かかる実情を背景にしてなされたもので、その目的とするところは、展示品のディスプレイにも小物類の収容にも適用が可能で、かつ製作コストのさらなる削減を図り、また組立が容易であるばかりか、搬送と保管にも優れ、さらに収納品を全方向から見たり使用することのできるスタンドホルダを提供することにある。
【課題を解決するための手段】
【０００７】
上述の目的を達成するため、本考案のスタンドホルダは、平置きされる底板と、該底板の他端に刻設されるスリットと、前記底板の一端に連続して、該底板の上方を他端側へ向けて円弧状に覆う保持板と、該保持板の先端に突出し、かつ前記スリットへの差し込みにより前記保持板の円弧形状を保持する係合片と、前記保持板の頂部に開口する収納品差し込み孔とを備えていることを特徴としている。
スタンドホルダの底板には、上方へ突出する収納品受け部を設けてもよく、この収納品受け部に収納品受け孔を開設することもできる。収納品受け部と収納品受け孔は複数設けることもできる。また、スタンドホルダ全体を、一枚の連続したシート状体によって形成することができる。
【０００８】
本考案のスタンドホルダの材料として、プラスチックや紙等の可撓性のあるシート状体が好適であり、プラスチックの場合には透明なシートを用いることもできる。本考案のスタンドホルダの形状によれば、収納品差し込み孔やスリット，係合片を含むスタンドホルダの展開形状を、一度のプレス工程によって作製することが可能であり、搬送や保管にもこの展開形状のまま供するとよい。
このような展開形状のスタンドホルダを組み立てるには、底板と保持板との間の折り線を上側に谷折りし、テーブル等の平面に平置きした底板の上方に保持板を湾曲させて、保持板先端の係止片を底板他端のスリットへ差し込むことにより、保持板の湾曲形状が保持され、スタンドホルダが立体的に組み立てられる。また、底板に収納品受け部がある場合には、上述の組立時に収納品受け部を底板から上方へ山形に折り込む。
【０００９】
本考案のスタンドホルダを使用する収納品として、例えば携帯電話やＣＤ，万年筆，メニュー，カレンダー，メモ用紙や付箋紙を始めとする文房具、その他の小物類があり、軽量なシート状体で形成されるスタンドホルダが転倒しない範囲で適宜選択される。
これら収納品が販売目的の場合には、本考案のスタンドホルダをディスプレイスタンドとして店頭やショールーム等のショーウインドやショーケース、ディスプレイカウンタに展示することが可能であり、また収納品が実用品の場合には、そのままテーブルやデスクに置いてスタンドホルダとして使用する。これらの収納品は、その下側を収納品差し込み孔へ差し込み、上部をスタンドホルダの上方へ突出させて保持される。また収納品の展示形態として、収納品差し込み孔の形状や大きさを変えることにより、立位からある程度傾斜した角度までの態様が可能である。
【考案の効果】
【００１０】
本考案のスタンドホルダは、プラスチックや紙等の安価なシート状体を材料に、一度のプレス工程のみで製作することができるので生産性に優れており、従来よりもなお一層の低コスト化が図れるので、スタンドホルダを極めて低価格で提供することができる。
また搬送や保管には、シート状の展開形状のままコンパクトに供することができるので利便性にも優れる。さらに、収納品は下側部分のみがスタンドホルダに保持され、その大半はスタンドホルダの上方へ突出するので、スタンドホルダの背面を含む全方向から収納品を見ることができる。しかも、材料に透明なプラスチックシートを用いることにより、収納品のほぼ全体を全方向から見ることができるようなるので、ディスプレイ機能と利用性が一段と向上する。
また、底板に収納品受け部や収納品受け孔を設けることにより、収納品をより安定した姿勢で保持することができるようになり、このようにホールド性を高めつつも、収納品受け部や収納品受け孔を他の部位と同様に１プレスで製作できるので、生産性と経済性を維持できる。
【考案を実施するための最良の形態】
【００１１】
以下，本考案にかかるスタンドホルダの各実施例を、図面に基づいて説明する。
図中、図１〜図４は第１実施例を示し、図１はスタンドホルダの使用状態を示す斜視図、図２は図１の断面側面図、図３はスタンドホルダの組立状態の斜視図、図４は展開状態の斜視図、図５及び図２は第２実施例を示し、図５はスタンドホルダの使用状態を示す斜視図、図６は図５の断面側面図、図７は第３実施例のスタンドホルダの使用状態を示す断面側面図、図８は第４実施例のスタンドホルダの使用状態を示す断面側面図である。
【００１２】
図１〜図４に示す第１実施例において、スタンドホルダ１は、その全体が一枚の不透明なプラスチック製シートによって形成された携帯電話展示用で、底板１ａの一端に折り線２を挟んで保持板１ｂが連続しており、底板１ａよりもやや長く設定された保持板１ｂのほぼ中央には、二つ折り型の携帯電話３の横断面形状よりも大きな収納品差し込み孔４が開設されている。
底板１ａの他端側中央にはスリット５が幅方向に刻設されており、保持板１ｂの先端中央には、スタンドホルダ１の組立時にスリット５に差し込まれる係合片１ｃが突設されている。
【００１３】
スタンドホルダ１は、比較的厚手なプラスチックフィルムの原反シートから、底板１ａ及び保持板１ｂに係合片１ｃを加えた全体形状の打ち抜きと、折り線２や収納品差し込み孔４，スリット５の残りの加工とを、図示しないプレス機の１プレス工程によって多数枚を一度に製作するもので、このプレス加工により図２に示す展開形状が得られる。
【００１４】
展開形状のスタンドホルダ１を組み立てるには、底板１ａを平面に置いて、折り線２を谷折りすることにより保持板１ｂを上方へ回動させ、該保持板１ｂを底板１ａの上方に湾曲させて、保持板先端の係止片１ｃを底板他端のスリット５へ差し込むことにより、保持板１ｂが半円弧状に保持され、図１及び図３に示すようにスタンドホルダ１が立体的に組み立てられる。
【００１５】
この組み立てにより、収納品差し込み孔４が保持板１ｂのほぼ最上部に開口し、該展示品差し込み孔４に二つ折りした携帯電話３の下側を差し込むことにより、携帯電話３の下端後側が底板１ａに、携帯電話３の正面下側が収納品差し込み孔４の前縁に、さらに携帯電話３の背面下側が収納品差し込み孔４の後縁にそれぞれ当接して、携帯電話３が後側に傾斜して支持される。
【００１６】
携帯電話３が販売商品の場合には、携帯電話３を収納したスタンドホルダ１をディスプレイスタンドとして、店頭やショールーム等のショーウインドやショーケース、ディスプレイカウンタに展示し、また携帯電話３が実用品の場合にはテーブルやデスクに置いてスタンドホルダとして使用する。
【００１７】
つぎに、本発明の第２〜第４実施例を図５〜図８に基づいて説明する。なお、第〜第４実施例において、上記第１実施例と同一構成部分については、同一の符号を付して詳細な説明を省略する。
【００１８】
図５及び図６に示す第２実施例のスタンドホルダ１０は、メモ帳１１をテーブル上やデスク上等で保持するためのもので、上記第１実施例とは、底板１ａに収納品受け部１ｄを設けるとともに、収納品差し込み孔１２をメモ帳１１に合わせて幅狭でかつ細長く形成した点で異なっている。
【００１９】
収納品受け部１ｄは、底板１ａの幅方向全長に亘って設けられた幅狭の二片を、底板１ａから上方へ山形に突出させて構成されており、これら二片を画成する折り線は、前記したプレス機の１プレス工程により、スタンドホルダ１０の打ち抜きや他の加工と同時に刻設される。
【００２０】
展示品差し込み孔１２にはメモ帳１１の下側が差し込まれ、該メモ帳１１の下縁が収納品受け部１ｄの傾斜面に、メモ帳１１の背面下側が収納品差し込み孔１２の後縁にそれぞれ当接して、メモ帳１１が図５に示すように後側に傾斜しながら安定して支持される。
【００２１】
図７は、上記第２実施例の変形例を示す第３実施例で、メモ帳用のスタンドホルダ２０は、底板１ａの収納品受け部１ｅを連続した２つの山形の突部で形成した点で上述の第２実施例と異なっており、メモ帳１１は、下端に加えて背面最下部もが収納品受け部１ｅに支えられるため、第２実施例よりもなお一層収納姿勢が安定したものとなる。
【００２２】
図８に示す第４実施例のスタンドホルダ３０は、万年筆３１をテーブル上やデスク上等で保持するためのもので、保持板１ｂの収納品差し込み孔３２を円形乃至は保持板１ｂの長手方向に沿った細長とし、底板１ａに形成した第２実施例と同形の収納品受け部１ｄの傾斜面に小円形の収納品受け孔３３を開設している。
【００２３】
万年筆３１は、その下側を収納品受け孔３３の収容し、中間部後側を収納品差し込み孔３２の後縁に当接させて、後側へ傾きながら安定して支持される。
【図面の簡単な説明】
【００２４】
【図１】第１実施例のスタンドホルダの使用状態を示す斜視図である。
【図２】図１の断面側面図である。
【図３】第１実施例を示すスタンドホルダの組立状態の斜視図である。
【図４】第１実施例を示すスタンドホルダの展開斜視図である。
【図５】第２実施例のスタンドホルダの使用状態を示す斜視図である。
【図６】図５の断面側面図である。
【図７】第３実施例のスタンドホルダの使用状態を示す断面側面図である。
【図８】第４実施例のスタンドホルダの使用状態を示す断面側面図である。
【符号の説明】
【００２５】
１，１０，２０，３０…携帯電話用のスタンドホルダ
１ａ…底板
１ｂ…保持板
１ｃ…係合片
１ｄ，１ｅ…収納受け部
２…折り線
３…携帯電話
４，１２，３２…収納品差し込み孔
５…スリット
１１…メモ帳
３１…万年筆
３３…収納品受け孔 
【図１】
0003136375.tif 000003
【図２】
0003136375.tif 000004
【図３】
0003136375.tif 000005
【図４】
0003136375.tif 000006
【図５】
0003136375.tif 000007
【図６】
0003136375.tif 000008
【図７】
0003136375.tif 000009
【図８】
0003136375.tif 000010